(57)【要約】【課題】集音した音に含まれるレンズ鏡筒による成分を適切に抑える撮像装置を提供する。【解決手段】撮像装置１は、音声を集音して第１音声信号に変換する第１集音手段５と、撮影レンズ１００の長さ情報を取得する長さ情報取得手段９と、撮影レンズの鏡筒１００からの音を集音して第２音声信号に変換する第２集音手段２０と、長さ情報に基づいて第２集音手段２０の指向性を制御する指向性制御手段４と、長さ情報に基づく指向性制御時の第２音声信号を用いて、第１音声信号から撮影レンズ１００からの音に起因する信号成分を低減する信号処理手段７と、を備える。【選択図】図２
2012151549.tif 000002
【特許請求の範囲】
【請求項１】
音声を集音して第１音声信号に変換する第１集音手段と、
撮影レンズの鏡筒の長さ情報を取得する長さ情報取得手段と、
前記撮影レンズからの音を集音して第２音声信号に変換する第２集音手段と、
前記長さ情報に基づいて前記第２集音手段の指向性を制御する指向性制御手段と、
前記長さ情報に基づく前記指向性制御時の前記第２音声信号を用いて、前記第１音声信号から前記撮影レンズからの音に起因する信号成分を低減する信号処理手段と、
を備えることを特徴とする撮像装置。
【請求項２】
請求項１に記載の撮像装置において、
前記長さ情報取得手段は通信手段を含み、前記撮影レンズとの通信によって前記長さ情報を取得することを特徴とする撮像装置。
【請求項３】
請求項２に記載の撮像装置において、
前記長さ情報取得手段は、焦点調節および焦点距離調節の少なくとも一方に伴って前記撮影レンズの鏡筒の長さが変化した場合に、前記通信によって変化後の長さ情報を取得することを特徴とする撮像装置。
【請求項４】
請求項２に記載の撮像装置において、
前記長さ情報取得手段は、焦点距離を示す情報を前記通信によって取得し、該焦点距離情報に基づいて前記長さ情報を算出することを特徴とする撮像装置。
【請求項５】
請求項１に記載の撮像装置において、
前記指向性制御手段は、前記撮影レンズの鏡筒に沿って該鏡筒の稼働方向に前記第２集音手段の指向性を制御し、
前記長さ情報取得手段は、前記指向性制御時に前記第２集音手段によって変換された第２音声信号に基づいて前記長さ情報を推定することを特徴とする撮像装置。
【請求項６】
請求項１〜５のいずれか一項に記載の撮像装置において、
前記信号処理手段は、前記第１音声信号から前記第２音声信号を減算する減算手段を含むことを特徴とする撮像装置。
【請求項７】
請求項１〜５のいずれか一項に記載の撮像装置において、
前記信号処理手段は、前記第１音声信号のうち前記第２音声信号の周波数成分を低減させるフィルタ手段を含むことを特徴とする撮像装置。
【発明の詳細な説明】
【技術分野】
【０００１】
本発明は、撮像装置に関する。
【背景技術】
【０００２】
主音声を収音する主マイクと別に、機器内からの雑音を収音する参照マイクを設けることにより、上記主マイクで収音された雑音を抑える技術が知られている（特許文献１参照）。
【先行技術文献】
【特許文献】
【０００３】
【特許文献１】特開２０００−４４９４号公報
【発明の概要】
【発明が解決しようとする課題】
【０００４】
従来技術では、雑音源が機器内において常に一定の位置に存在している。しかし、機器には雑音源が一定の位置に存在しないものがある。たとえば、種類によって鏡筒の長さが異なる撮影レンズが撮像装置に用いられる場合、雑音源の位置が撮像装置に対して鏡筒の長さ方向に変化する。そのため、従来技術では雑音源の位置が変化する場合への対処ができないという問題がある。
【課題を解決するための手段】
【０００５】
本発明による撮像装置は、音声を集音して第１音声信号に変換する第１集音手段と、撮影レンズの鏡筒の長さ情報を取得する長さ情報取得手段と、撮影レンズの鏡筒内からの音を集音して第２音声信号に変換する第２集音手段と、長さ情報に基づいて第２集音手段の指向性を制御する指向性制御手段と、長さ情報に基づく指向性制御時の第２音声信号を用いて、第１音声信号から撮影レンズの鏡筒内からの音に起因する信号成分を低減する信号処理手段と、を備えることを特徴とする。
【発明の効果】
【０００６】
本発明による撮像装置では、集音した音に含まれる撮影レンズによる雑音を適切に抑えることができる。
【図面の簡単な説明】
【０００７】
【図１】本発明の一実施の形態による一眼レフ電子カメラの外観を例示する図である。
【図２】電子カメラの要部構成を説明するブロック図である。
【図３】マイクロホンの指向性を例示する図である。
【図４】メインスイッチがオン操作された場合にマイクロプロセッサーが起動する動画撮影処理の流れを例示するフローチャートである。
【発明を実施するための形態】
【０００８】
以下、図面を参照して本発明を実施するための形態について説明する。図１は、本発明の一実施の形態による一眼レフ電子カメラの外観を例示する図である。図１において、カメラ本体１に対して着脱可能に構成された撮影レンズ１００が装着されている。この時、撮影レンズ１００はカメラ本体１のマウント部（不図示）に装着される。カメラ本体１の正面には、主マイクロホン５が設けられている。ファインダー部の下面には、撮影レンズ１００の長さ方向に配列されたノイズ参照マイクロホンアレイ２０が設けられている。
【０００９】
電子カメラは、動画撮影と静止画撮影とが可能に構成される。電子カメラは、動画開始／終了スイッチ１１（図２）からのオン信号に応じて動画撮影を開始する。電子カメラは、動画撮影開始後に再び動画開始／終了スイッチ１１（図２）からオン信号が入力されると動画撮影を終了する。動画開始／終了スイッチ１１（図２）は、動画開始／終了ボタン（不図示）の押下操作に連動してオンし、押下解除によりオフする。電子カメラは、レリーズスイッチ（不図示）からのオン信号に応じて静止画撮影を開始する。レリーズスイッチ（不図示）は、レリーズボタン（不図示）の押下操作に連動してオンし、押下解除によりオフする。
【００１０】
図２は、上述した電子カメラの要部構成を説明するブロック図である。カメラ本体１は、マイクロプロセッサー９によって制御される。撮影レンズ１００は、マイクロプロセッサー１０２によって制御される。カメラ本体１のマウント部（不図示）に撮影レンズ１００が装着されると、該マウント部に設けられているカメラ本体１の接点１０と撮影レンズ１００の接点１０１とが当接する。両マイクロプロセッサー９、１０２は、接点１０、１０１を介して通信を行う。
【００１１】
マイクロプロセッサー１０２は、マイクロプロセッサー９からの指示に応じてＡＦモーター制御回路１０３および絞り制御回路１０５へ制御信号を送る。ＡＦモーター制御回路１０３がＡＦモーター１０４を駆動することにより、撮影光学系のフォーカス調節レンズ（不図示）を光軸方向に進退移動させる。絞り制御回路１０５が絞り駆動ソレノイド１０６を駆動することにより、絞り（不図示）の口径を制御する。レンズ繰り出し量検出回路１０７は、たとえば、エンコーダーを含み、撮影レンズが光軸方向に繰り出されて鏡筒の長さが変化する場合の鏡筒の長さ情報を検出し、検出信号をマイクロプロセッサー１０２へ送出する。
【００１２】
カメラ本体１に設けられたクイックリターンミラー駆動回路１２は、マイクロプロセッサー９からの指示に応じてクイックリターンミラー（不図示）をアップ駆動またはダウン駆動する。シャッター駆動回路１３は、マイクロプロセッサー９からの指示に応じてメカニカルシャッター（不図示）を開閉駆動する。
【００１３】
撮像素子１４は、撮影レンズ１００によって撮像面上に結像されている被写体像を撮像し、被写体像の明るさに応じた光電変換信号を出力する。デジタル画像処理回路１５は、光電変換信号に対して各種の画像処理（色補間処理、階調変換処理、輪郭強調処理、ホワイトバランス調整処理など）を施す。画像処理後の画像データは、画像・音声記録回路１６へ送出される。
【００１４】
画像・音声記録回路１６はコネクタ（不図示）を有し、該コネクタにメモリカードなどの記録媒体１７が接続される。画像・音声記録回路１６は、画像データおよび音声データをたとえばMPEGフォーマットに変換し、接続された記録媒体１７に記録する。記録媒体１７は、半導体メモリを内蔵したメモリカード、またはハードディスクドライブなどで構成される。
【００１５】
主マイクロホン５は、電子カメラが撮像する被写体方向からの音声を集音し、集音した音声を電気信号に変換する。ＡＤ変換回路６は、主マイクロホン５による音声信号をデジタルデータに変換する。ノイズ参照マイクロホンアレイ２０は、並べて配列された複数（たとえば４つ）のマイクロホン２０ａ〜２０ｄによって構成される。
【００１６】
図３は、マイクロホン２０ａ〜２０ｄの指向性を例示する図であり、カメラ本体１の左側面から見た図である。図３において、マイクロホン２０ａは、撮影レンズ１００において発生する動作音のうち筐体面（マウント部）から略５cmまでの範囲からの音を集音し、集音した音声を電気信号に変換する。マイクロホン２０ｂは、撮影レンズ１００が発する動作音のうち筐体面（マウント部）から略５cm〜略１０cmまでの範囲からの音を集音し、集音した音声を電気信号に変換する。マイクロホン２０ｃは、撮影レンズ１００が発する動作音のうち筐体面（マウント部）から略１０cm〜略３０cmまでの範囲からの音を集音し、集音した音声を電気信号に変換する。マイクロホン２０ｄは、レンズ鏡筒１００が発する動作音のうち筐体面（マウント部）から略３０cm〜略１００cmまでの範囲からの音を集音し、集音した音声を電気信号に変換する。
【００１７】
図２のＡＤ変換回路２ａ乃至２ｄは、マイクロホン２０ａ乃至２０ｄからの音声信号を、それぞれデジタルデータに変換する。位相遅延および加算回路４は、マイクロプロセッサー９からの指示に応じて、マイクロホン２０ａ乃至２０ｄによる音声信号間の位相遅延量を変えたり、マイクロホン２０ａ乃至２０ｄによる音声信号間で重み付け加算する際の重みを変えたりする。これら位相遅延量や加算時の重みを変更することによってノイズ参照マイクロホンアレイ２０が音声を取り込む範囲を制御することで、ノイズ参照マイクロホンアレイ２０の指向性を撮影レンズ１００の鏡筒の長さ方向に変化させる。
【００１８】
減算回路７は、マイクロプロセッサー９からの指示に応じて、主マイクロホン５が取り込んだ音声信号から位相遅延および加算回路４が出力する音声信号（すなわち、指向性制御後の音声信号）を減算する。この減算処理により、主マイクロホン５で取得された音声信号に含まれるノイズ（主として撮影レンズ１００において発生する動作音）を除去する。
【００１９】
デジタル音声処理回路８は、マイクロプロセッサー９からの指示に応じて、上記減算処理後の音声信号に対して所定のフィルター処理を行う。フィルター処理では、たとえば人の可聴範囲から外れる高周波数成分および低周波数成分を減衰させる。フィルター処理後の音声データは、画像・音声記録回路１６へ送出される。
【００２０】
本実施の形態は、上記マイクロプロセッサー９が行うノイズ参照マイクロホンアレイ２０の指向性制御に特徴を有するので、以下の説明は指向性制御を含む動画撮影処理を中心に説明する。図４は、メインスイッチがオン操作された場合にマイクロプロセッサー９が起動する動画撮影処理の流れを例示するフローチャートである。
【００２１】
図４のＳＴＥＰ０１において、マイクロプロセッサー９は、撮影レンズ１００のマイクロプロセッサー１０２との間で通信を行う。マイクロプロセッサー９は、通信によって少なくとも撮影レンズ１００の長さ情報（全長データ）を取得してＳＴＥＰ０２へ進む。全長データは、マウント部から撮影レンズの先端までの長さとする。なお、通信では焦点距離、開放Ｆ値、最小絞り値などの情報も合わせて取得する。
【００２２】
ＳＴＥＰ０２において、マイクロプロセッサー９は、ノイズ参照マイクロホンアレイ２０の指向性変更制御を行う。具体的には、撮影レンズ１００の長さに対応させて、ノイズ参照マイクロホンアレイ２０が音声を取り込む範囲を設定する。たとえば、撮影レンズ１００の全長データが８cmの場合、マイクロホン２０ａおよびマイクロホン２０ｂによってカバーする範囲（マウント部から略１０cmまで）をノイズ音の取り込み範囲とする。この場合のマイクロプロセッサー９は、位相遅延および加算回路４へ指示を送り、マイクロホン２０ｃおよびマイクロホン２０ｄからの音声信号に対する重み係数を０にしてＳＴＥＰ０３へ進む。
【００２３】
ＳＴＥＰ０３において、マイクロプロセッサー９は、動画開始／終了ボタン（不図示）が押下されたか否かを判定する。マイクロプロセッサー９は、動画開始／終了スイッチ１１（図２）からオン信号が入力されるとＳＴＥＰ０３を肯定判定してＳＴＥＰ０４へ進む。マイクロプロセッサー９は、動画開始／終了スイッチ１１（図２）からオン信号が入力されない場合にはＳＴＥＰ０３を否定判定してＳＴＥＰ０１へ戻る。
【００２４】
ＳＴＥＰ０４において、マイクロプロセッサー９はクイックリターンミラー駆動回路１２（図２）へ指示を送り、クイックリターンミラー（不図示）をアップ駆動させてＳＴＥＰ０５へ進む。ＳＴＥＰ０５において、マイクロプロセッサー９はシャッター駆動回路１３（図２）へ指示を送り、メカニカルシャッター（不図示）を開駆動させてＳＴＥＰ０６へ進む。
【００２５】
ＳＴＥＰ０６において、マイクロプロセッサー９は動画撮像および録音を開始させる。これにより、撮像素子１４が所定のフレームレート（たとえば、６０フレーム／秒）で撮像を繰り返し行い、デジタル画像処理回路１５が画像処理後の画像データを逐次出力する。また、デジタル音声処理回路８は、上述した減算処理およびフィルター処理後の音声データを逐次出力する。画像・音声記録回路１６は、記録媒体１７に対して画像データおよび音声データを記録する。
【００２６】
ＳＴＥＰ０７において、マイクロプロセッサー９は、主要被写体に合焦しているか否かを判定する。マイクロプロセッサー９は、撮像素子１４で取得されたフレーム画像データのうち所定のフォーカスポイントに相当するデータから得られるコントラストが所定値以上の場合、ＳＴＥＰ０７を肯定判定してＳＴＥＰ０９へ進む。マイクロプロセッサー９は、上記コントラストが所定値未満の場合には、ＳＴＥＰ０７を否定判定してＳＴＥＰ０８へ進む。
【００２７】
ＳＴＥＰ０８において、マイクロプロセッサー９は通信によってマイクロプロセッサー１０２へ指示を送り、撮影光学系のフォーカス調節レンズ（不図示）を光軸方向に進退移動させる。具体的には、上記コントラストを最大にする位置へフォーカス調節レンズ（不図示）を移動させてＳＴＥＰ０９へ進む。
【００２８】
ＳＴＥＰ０９において、マイクロプロセッサー９は、絞り口径を変更するか否かを判定する。マイクロプロセッサー９は、撮像素子１４で取得されたフレーム画像データのうち所定の測光エリアに相当する信号値が所定の範囲から外れる場合、ＳＴＥＰ０９を肯定判定してＳＴＥＰ１０へ進む。マイクロプロセッサー９は、上記信号値が所定の範囲内の場合、ＳＴＥＰ０９を否定判定してＳＴＥＰ１１へ進む。
【００２９】
ＳＴＥＰ１０において、マイクロプロセッサー９は通信によってマイクロプロセッサー１０２へ指示を送り、上記所定の測光エリアに相当する信号値を上記所定の範囲内に収めるように撮影光学系の絞り（不図示）を駆動させて、ＳＴＥＰ１１へ進む。
【００３０】
ＳＴＥＰ１１において、マイクロプロセッサー９は、動画開始／終了ボタン（不図示）が再度押下されたか否かを判定する。マイクロプロセッサー９は、動画開始／終了スイッチ１１（図２）からオフ→オンへの遷移信号が入力されるとＳＴＥＰ１１を肯定判定してＳＴＥＰ１２へ進む。マイクロプロセッサー９は、動画開始／終了スイッチ１１（図２）からオフ→オンへの遷移信号が入力されない場合にはＳＴＥＰ１１を否定判定してＳＴＥＰ０７へ戻る。
【００３１】
ＳＴＥＰ１２において、マイクロプロセッサー９は、動画撮像および録音を終了させてＳＴＥＰ１３へ進む。ＳＴＥＰ１３において、マイクロプロセッサー９はシャッター駆動回路１３（図２）へ指示を送り、メカニカルシャッター（不図示）を閉駆動させてＳＴＥＰ１４へ進む。ＳＴＥＰ１４において、マイクロプロセッサー９はクイックリターンミラー駆動回路１２（図２）へ指示を送り、クイックリターンミラー（不図示）をダウン駆動させて図４による動画撮影処理を終了する。
【００３２】
以上説明した実施形態によれば、次の作用効果が得られる。
（１）一眼レフ電子カメラは、音声を集音して第１音声信号に変換する主マイクロホン５と、撮影レンズ１００の長さ情報を取得するマイクロプロセッサー９と、撮影レンズ１００からの音を集音して第２音声信号に変換するノイズ参照マイクロホンアレイ２０と、長さ情報に基づいてノイズ参照マイクロホンアレイ２０の指向性を制御する位相遅延および加算回路４と、長さ情報に基づく指向性制御時の第２音声信号を用いて、第１音声信号からレンズ鏡筒１００からの音に起因する信号成分を低減する減算回路７と、を備えるので、主マイクロホン５で集音した音に含まれるレンズ鏡筒１００による成分を適切に抑えることができる。
【００３３】
（２）上記（１）の一眼レフ電子カメラにおいて、マイクロプロセッサー９は通信機能を含み、撮影レンズ１００との通信によって長さ情報を取得するので、全長が異なる交換レンズが装着される場合にも、常に正しい長さ情報が得られる。これにより、ノイズ参照マイクロホンアレイ２０の指向性を適切に制御して、主マイクロホン５による音声信号に含まれる撮影レンズ１００による雑音を適切に抑制できる。
【００３４】
（３）上記一眼レフ電子カメラにおいて、減算回路７は、第１音声信号から第２音声信号を減算するので、確実に撮影レンズ１００による雑音を適切に抑えることができる。
【００３５】
（変形例１）
上述したＳＴＥＰ０１においてカメラ本体１のマイクロプロセッサー９が撮影レンズ１００のマイクロプロセッサー１０２との間の通信によって取得する撮影レンズ１００の全長データ(マウント部から撮影レンズ１００の鏡筒先端までの長さ)は、撮影レンズ１００の繰出しに伴って撮影レンズ１００の長さが変化しない場合は、当該撮影レンズ１００に固有の長さ情報である。撮影レンズ１００に固有の長さ情報は、マイクロプロセッサー１０２の内部の不揮発性メモリ（不図示）が記憶する。また、撮影レンズ１００の繰出しに伴って撮影レンズ１００の長さが変化する場合のマイクロプロセッサー９は、撮影レンズ１００のレンズ繰り出し量検出回路１０７によって検出されている長さ情報をマイクロプロセッサー１０２との間の通信によって取得する。
【００３６】
変形例１によれば、撮影レンズ１００の繰出しに伴って撮影レンズ１００の長さが変化する場合もしない場合も、カメラ本体１のマイクロプロセッサー９と撮影レンズ１００のマイクロプロセッサー１０２との間の通信によって撮影レンズ１００の全長データを取得できる。
【００３７】
（変形例２）
カメラ本体１のマイクロプロセッサー９が撮影レンズ１００のマイクロプロセッサー１０２との間で行う通信によって撮影レンズ１００の全長データを取得できない場合（たとえば、撮影レンズ１００がレンズ繰り出し量検出回路１０７を備えていない場合）のマイクロプロセッサー９は、撮影レンズ１００のマイクロプロセッサー１０２から取得した焦点距離情報に基づいて該撮影レンズ１００の長さを推定してもよい。変形例２のマイクロプロセッサー９は、たとえば、撮影レンズ１００の焦点距離が５０mm未満の場合は、撮影レンズ１００の全長が５cm(マウント部から撮影レンズ１００の鏡筒の先端までの長さ)と推定する。また、撮影レンズ１００の焦点距離が５０mmの場合も、全長が５cm(マウント部から撮影レンズ１００の鏡筒の先端までの長さ)と推定する。焦点距離が５０mm未満の広角レンズの場合に焦点距離＝全長としないのは、いわゆるレトロフォーカス光学系を用いることが多い点を考慮したからである。
【００３８】
さらに、変形例２のマイクロプロセッサー９は、撮影レンズ１００の焦点距離が５０mmを超えて２００mm未満の場合は、全長が２０cm(マウント部から撮影レンズ１００の鏡筒の先端までの長さ)と推定する。そして、変形例２のマイクロプロセッサー９は、撮影レンズ１００の焦点距離が２００mmを超えて５００mm未満の場合は、全長が５０cm(マウント部から撮影レンズ１００の先端までの長さ)と推定する。
【００３９】
変形例２によれば、撮影レンズ１００がレンズ繰り出し量検出回路１０７を備えていない場合でも、撮影レンズ１００のマイクロプロセッサー１０２から取得した焦点距離情報に基づいて該撮影レンズ１００の長さを推定できる。
【００４０】
（変形例３）
カメラ本体１のマイクロプロセッサー９が撮影レンズ１００のマイクロプロセッサー１０２との間で行う通信によって撮影レンズ１００の全長データを取得できない場合（たとえば、撮影レンズ１００が自身の長さ情報を持っていない場合）のマイクロプロセッサー９は、ノイズ参照マイクロホンアレイ２０の指向性をスキャンすることによって撮影レンズ１００の長さを推定してもよい。変形例３のマイクロプロセッサー９は、通信によってマイクロプロセッサー１０２へ指示を送り、撮影レンズ１００内のＡＦモーター１０４および絞り駆動ソレノイド１０６を駆動させる。
【００４１】
マイクロプロセッサー１０２は位相遅延および加算回路４へ指示を送り、撮影レンズ１００内のＡＦモーター１０４および絞り駆動ソレノイド１０６を駆動している状態でノイズ参照マイクロホンアレイ２０の指向性をマイクロホン２０ａ→２０ｂ→２０ｃ→２０ｄの順番に変化させる。指向性の変化は、たとえば、集音対象の音声信号に対する重み係数を最大にし、集音対象でない音声信号に対する重み係数を０にする。マイクロプロセッサー９は、所定レベル以上の音声信号が得られたマイクロホンの数に応じて撮影レンズ１００の長さを推定する。
【００４２】
たとえば、マイクロホン２０ａのみで所定レベル以上の音声信号が得られた場合は、全長が５cm(マウント部から撮影レンズ１００の鏡筒の先端までの長さ)と推定する。マイクロホン２０ａおよび２０ｂによってそれぞれ所定レベル以上の音声信号が得られた場合は、全長が１０cm(マウント部から撮影レンズ１００の鏡筒の先端までの長さ)と推定する。マイクロホン２０ａ、２０ｂおよび２０ｃによってそれぞれ所定レベル以上の音声信号が得られた場合は、全長が３０cm(マウント部から撮影レンズ１００の鏡筒の先端までの長さ)と推定する。マイクロホン２０ａ、２０ｂ、２０ｃおよび２０ｄによってそれぞれ所定レベル以上の音声信号が得られた場合は、全長が１００cm(マウント部から撮影レンズ１００の鏡筒の先端までの長さ)と推定する。以上のスキャン動作は、動画撮像・録音の前におこなっておけば良い。例えば、カメラの電源スイッチ（不図示）がオンになった時、撮影レンズ１００が交換された時等である。
【００４３】
変形例３によれば、撮影レンズ１００が自身の長さ情報を持っていない場合でも、撮影レンズ１００内のＡＦモーター１０４および絞り駆動ソレノイド１０６を駆動している状態でノイズ参照マイクロホンアレイ２０の指向性をスキャンすることによって撮影レンズ１００の長さを推定できる。
【００４４】
（変形例４）
上述した減算回路７は、主マイクロホン５が取り込んだ音声信号から位相遅延および加算回路４が出力する音声信号（すなわち、指向性制御後の音声信号）を減算することによって主マイクロホン５で取得された音声信号から撮影レンズ１００において発生する動作音ノイズを除去するようにした。この代わりに、ノイズ参照マイクロホンアレイ２０で取得された音声信号の周波数解析を行い、主マイクロホン５で取得された音声信号のうち、前記解析された周波数に相当する周波数の信号成分を低減する（減衰させる）ようにフィルター処理を施すことによって撮影レンズ１００において発生する動作音ノイズを除去するようにしてもよい。
【００４５】
（変形例５）
ノイズ参照マイクロホンとして、複数のマイクロホンを配列したマイクロホンアレイ２０で構成する例を説明したが、１個の指向性可変マイクロホンによって構成するようにしてもよい。
【００４６】
以上の説明はあくまで一例であり、上記の実施形態の構成に何ら限定されるものではない。
【符号の説明】
【００４７】
１…カメラ本体
５…主マイクロホン
４…位相遅延および加算回路
７…減算回路
８…デジタル音声処理回路
９、１０２…マイクロプロセッサー
１１…動画開始／終了スイッチ
１４…撮像素子
１５…デジタル画像処理回路
１６…画像・音声記録回路
２０…ノイズ参照マイクロホンアレイ
１００…撮影レンズ
１０７…レンズ繰り出し量検出回路
【図１】
2012151549.tif 000003
【図２】
2012151549.tif 000004
【図３】
2012151549.tif 000005
【図４】
2012151549.tif 000006